(57)【要約】【課題】着用した指・手の意図的動きや自然の動きによって、装飾発光が自在にして多様パターンに発光・消光・点滅できる高装飾性能にして多機能性の指輪を提供する。【解決手段】蓋板４つき凹陥体にして底部外側に指挿着リング部５を備えた電池トレイ部３に、側周と底部外周に電池極を有するボタン型電池Ｂを摺動移動自在に収納すると共に、電池トレイ部３は蓋板上面の発光ダイオードＬと、発光ダイオードＬに覆蓋する発光装飾キヤップ６を備え、さらに、電池トレイ部３は、側周内周に局部設定した他側導通部８と底板上面に設定した一側導通部７を備えると共に、ボタン型電池Ｂの底部側の電池極１２は電池トレイ部３の一側導通部７と常に接触導通形態に構成され、ボタン型電池Ｂの摺動移動による電池極１１と他側導通部８との接触導通と導通解離によって、発光ダイオードＬの発光と消光を可能に成す構造の指輪１が特徴である。【選択図】    図１
2004275620.tif 000002
【特許請求の範囲】
【請求項１】
蓋板つき凹陥体にして底部外側に指挿着リング部を備えた電池トレイ部に、側周と底部外周に電池極を有するボタン型電池を摺動移動自在に収納すると共に、該電池トレイ部は蓋板上面の発光ダイオードと、該発光ダイオードに覆蓋する発光装飾キヤップを備え、さらに、該電池トレイ部は、側周内周に局部設定した他側導通部と底板上面に設定した一側導通部を備えると共に、前記ボタン型電池の底部側の電池極は前記電池トレイ部の一側導通部と常に接触導通形態に構成され、前記ボタン型電池の摺動移動による前記電池極と前記他側導通部との接触導通と導通解離によって、前記発光ダイオードの発光と消光を可能に成す構造を特徴とする指輪。
【請求項２】
蓋板つき凹陥体にして底部外側に指挿着リング部を備えた電池トレイ部に、ボタン型電池を収納すると共に、該電池トレイ部は蓋板上面の発光ダイオードと該発光ダイオードに覆蓋する発光装飾キヤップを備え、さらに、前記電池トレイ部の側周に、前進付勢されて前進姿勢のスイッチ頭が前記電池トレイ部から突き出して進退自在にして指への装着状態において隣接指に該スイッチ頭を臨ませる前記ボタン型電池のスイッチ部を備え、該スイッチ部の進退作動によって前記ダイオードの発光と消光を可能に成す構造を特徴とする指輪。
【発明の詳細な説明】
【０００１】
【発明の属する技術分野】
本発明は、装身具の指輪に関するものである。
【０００２】
【従来の技術】
古くから広く普及している指輪等の装身具は、着用中の装飾的価値を向上させる技術意図から、電池と発光ダイオードを内蔵した構造にして、その発光ダイオードを発光・点滅させる形態のものが開発され、特許文献１・特許文献２に例示する多数の公知例がある。
【０００３】
【特許文献１】
特開２００１−２４３８０２（要約、図１）
【特許文献２】
実用新案登録第３０６３２４９号（要約、請求項、図１）
【０００４】
【発明が解決しようとする課題】
以上の公知例の発光ダイオードを用いて成る装身具は、装着者のスイッチ操作によって発光ダイオードの一定パターンの発光・点滅を着用中に単純反復する装飾効果のみに限定される。
【０００５】
本発明は、以上の従来技術の難点を解消して「発光ダイオードを用いて成る装身具」のさらなる装飾的技術効果の向上と、発光ダイオードの点滅機能性の向上を図る指輪を提供するものである。
【０００６】
【課題を解決するための手段】
以上の技術課題を解決する本発明の指輪は「蓋板つき凹陥体にして底部外側に指挿着リング部を備えた電池トレイ部に、側周と底部外周に電池極を有するボタン型電池を摺動移動自在に収納すると共に、該電池トレイ部は蓋板上面の発光ダイオードと、該発光ダイオードに覆蓋する発光装飾キヤップを備え、さらに、該電池トレイ部は、側周内周に局部設定した他側導通部と底板上面に設定した一側導通部を備えると共に、前記ボタン型電池の底部側の電池極は前記電池トレイ部の一側導通部と常に接触導通形態に構成され、前記ボタン型電池の摺動移動による前記電池極と前記他側導通部との接触導通と導通解離によって、前記発光ダイオードの発光と消光を可能に成す構造を特徴とする指輪」の第１発明と、
【０００７】
「蓋板つき凹陥体にして底部外側に指挿着リング部を備えた電池トレイ部に、ボタン型電池を収納すると共に、該電池トレイ部は蓋板上面の発光ダイオードと該発光ダイオードに覆蓋する発光装飾キヤップを備え、さらに、前記電池トレイ部の側周に、前進付勢されて前進姿勢のスイッチ頭が前記電池トレイ部から突き出して進退自在にして指への装着状態において隣接指に該スイッチ頭を臨ませる前記ボタン型電池のスイッチ部を備え、該スイッチ部の進退作動によって前記ダイオードの発光と消光を可能に成す構造を特徴とする指輪」の第２発明に成っている。
【０００８】
即ち、本発明の指輪は「内設した発光ダイオードを発光・消光・点滅させる指輪」において、従来の公知例のように指先による直接スイッチ操作をすることなく装着者の意図的または自然の指・手の動きによって、自由自在にして多様パターンの発光・消光・点滅を可能に成す思想から成るものである。なお、前記構成における「ボタン型電池」とは、携帯電話器等の小型電気機器に用いられている公知の小型円盤形態の汎用公知の電池を意味する。
【０００９】
【作用】
前記構成の第１発明の指輪は、装着した手や指を動かすと、ボタン型電池が電池トレイ部の中空部を自重によってスライド移動し、その電池外周の電池極と電池トレイ部の前記他側導通部が接触導通すると発光ダイオードが導通発光作用する。そして、その接触導通状態を手・指動作によって解離すると発光ダイオードが消光作用する。
【００１０】
以上の着用者の手・指の意図的または自然の３次元的動作によって発光ダイオードの自由自在多様パターンの発光持続・消光接続または点滅が即時かつ自由自在に可能になり、発光ダイオードによる装飾性能・点滅機能性が向上する。
【００１１】
一方、前記構成の第２発明の指輪は電池トレイ部の側周に前記構成のスイッチ部を有するので、着用指と隣接指の接触による該スイッチ部の押し込み操作または併着した指輪相互の該スイッチ部の接触押し込み操作によって、同じく着用者の意図的または自然の動作による該スイッチ部のオン・オフが可能になり、前記第１発明と同様に「発光ダイオードの発光持続・消光持続または多様パターン点滅」が即時に自由自在に可能になり、発光ダイオードによる装飾性能・点滅機能性が向上する。
【００１２】
【発明の実施の形態】
まず、第１発明１実施形態の指輪１を図１・図２を参照して説明する。即ち、指輪１は、着脱または開閉自在の蓋板４つきの中空円盤形状にして底部下側に指挿着リング部５を備えた電池トレイ部３（以下、単にトレイ部３という）と、トレイ部３の蓋板４の上部外側に配設した発光ダイオードＬと、トレイ部３の周縁に開閉自在にヒンジ連結されてトレイ部３の上面と発光ダイオードＬを覆蓋する「透光性の発光装飾キヤップ６（以下、単にキヤップ６という）」によって主要部が構成されている。
【００１３】
そして、トレイ部３には小型円板形態にして「上面と側周の電池極１１と底面に設けた円形の電池極１２によって、プラス・マイナスの電池極を備えたボタン型電池Ｂ（以下、単に電池Ｂという）が、トレイ部３の中空部の底面上を全方位的にスライド移動自在に挿入セットされている。
【００１４】
さらに、トレイ部３には電池Ｂがトレイ部３の中空部のいかなる位置に存在しても電池Ｂの底面の電池極１２と接触導通する「トレイ部３底面上の円形の一側導通部７」と、円盤形状の中空部の円形内周の円周３等分位置に内張り分設した他側導通部８が設定されている。
【００１５】
そして、発光ダイオードＬはトレイ部３の一側導通部７と他側導通部８と導通セットされており、トレイ部３内の電池Ｂがスライド移動して側周の電池極１１がトレイ部３側の３個の他側導通部８のいずれかと接触して導通すると発光ダイオードＬが発光して、その発光によってキヤップ６から多様美麗な装飾光を発光放散すると共に、電池Ｂがスライド移動して前記の導通状態を解離すると発光ダイオードＬが消光する発光消光回路に構成されている。
【００１６】
なお、この実施形態のトレイ部３は、トレイ部３の内周に嵌着する円形の脚板１４つき蓋板４が着脱自在に設けられ、この蓋板４の脚板１４の内周がトレイ部３の内周側周を形成して、その内周側周に他側導通部８が設定されており、この蓋板４を外すことによって電池Ｂの交換ができる。
【００１７】
そして、キヤップ６は発光ダイオードＬの発光を通して「宝石群がキラキラ発光する凝発光の装飾光発光形態」に形成されており（図２（Ｂ）参照）通常の指輪と同様に指に挿着セットして使用する。
【００１８】
なお、この実施形態のものは、トレイ部３の直径＝約２０粍、電池Ｂの直径＝約１０〜１２粍、電池極１２の直径＝約８粍、のサイズ諸元であり、図中の９はトレイ部３と蓋板４の脚片１４に設けた導通部にしてトレイ部３に蓋板４を覆着セットしたとき、相互に接合導通させてコードＣ間の通電を可能にする導通部である。そして、１５はキヤップ６のヒンジ部、１６はキヤップ６の閉鎖姿勢のロック・アンロック用鉤部である。
【００１９】
以上の実施形態の指輪１は前記の作用がり、指輪１の３次元的動きによって電池Ｂがトレイ部３内を自在にスライド移動して、前記の発光・消光作用するので着用者の手・指の意図的または自然の動きによって、指輪１の多様パターンの装飾発光と消光・点滅が自由自在に可能にして、指輪の発光装飾性が従来のものに存在しない異質にして高性能になる。
【００２０】
そして、その意図的発光・消光・点滅によって、例えば聾唖者の相互や人間間の意志疎通電気信号として活用機能できる特有の作用効果がある。
【００２１】
続いて、図３・図４を参照して第２発明１実施形態の指輪２を説明する。即ち、前記実施形態と同様に、下方に指挿着リング部５を備えて中空部に電池Ｂを収納すると共に、着脱自在または開閉自在に蓋板４を有するトレイ部３と、このトレイ部３の上面の発光ダイオードＬとトレイ部３の上面を覆蓋する発光装飾キヤップ６（以下、単にキヤップ６という）から成る指輪において、この実施形態の指輪２は、電池Ｂがトレイ部３の中空部に交換自在に固定装着されると共に、トレイ部３の側周に発光ダイオードＬの発光・消光用のスイッチ部２０が設定されている。
【００２２】
詳しくは、スイッチ部２０は凸状のスイッチ頭２１をトレイ部３の側周の窓部から突き出して前進付勢された進退自在のスイッチにして下記の構造を有している。即ち、スイッチ部２０は中間部位に凸状のスイッチ頭２１を有する片持梁形態の電気導通性の板ばねスイッチにして、トレイ部３の内周に固定した固定端は電池Ｂの側周の電池極１１と接続されると共に、自由端のスイッチ板２２はトレイ部３内周の「発光ダイオードＬに接続した他側導通部８」と接続導通または導通遮断するスイッチ構造に成っている。
【００２３】
そして、電池Ｂの下側の電池極１２はトレイ部３の底部の一側導通部７と導通接続されており、自由状態のスイッチ部２０はばね付勢力による前進停止姿勢でスイッチ頭２１がトレイ部３の外周から若干突き出すと共に、自由端のスイッチ板２２を他側導通部８に重合導通してスイッチオン状態と成って発光ダイオードＬを発光させる。そして、指先等でスイッチ頭２１を軽く押して後退させると（図示点線位置）スイッチ板２２が他側導通部８から離反してスイッチオフ状態となって発光ダイオードＬが消光する。
【００２４】
そして、そのスイッチ頭２１を再び自由状態にするとスイッチ部２０が自由状態と成ってスイッチオン状態に自動復帰するスイッチ回路に構成されている。なお、図中の１９は電池Ｂの「固定用押えばね」であり、スイッチ部２０は指輪２を指に通常姿勢で挿着したとき、その挿着指の隣接指の内側にスイッチ頭２１を臨ませる位置に設定されている。
【００２５】
そして（図４参照）この指輪２を単数または２連装・３連装にして指に嵌め、その装着状態の指輪２のスイッチ部２０を相対姿勢にセットしたり、或は単数挿着のときはスイッチ部２０が隣接指に対向する姿勢にして挿着セットする。
【００２６】
かくして、その挿着姿勢で指間の相互近接の指運動によって、それぞれのスイッチ部２０を押し作動すると発光ダイオードＬが消光する。そして、その指運動によるスイッチ部２０の押し作動を解除するとスイッチ部２０がオフ状況となって発光ダイオードＬが発光してキヤップ６から装飾発光を放散作用する。
【００２７】
以上の実施形態の指輪２は前記の作用があり、指輪着用者の意図的または自然の手・指の動きによって発光ダイオードＬがスイッチオン・オフ状態となって発光・消光作用するので、着用者の手・指の意図的または自然の動きによって、指輪２の多様パターンの装飾発光と消光・点滅が自由自在に可能になって指輪の発光装飾性が従来のものに存在しない異質にして高性能になる。
【００２８】
そして、その意図的発光・消光・点滅によって、例えば聾唖者の相互や人間間での意志疎通電気信号として活用機能できる。そして、前記２連装・３連装の着用ケースでは例えば指輪２の発光色を異色組合せにすることによって「指輪による多色装飾美」が得られる特有作用がある。
【００２９】
続いて図５を参照して第２発明の他の実施形態の指輪２を説明する。即ち、前記実施形態と同様なスイッチ部２０を有する指輪２において、この図５のものはトレイ部３側の他側導通部８が先曲げされてスイッチ板２２の後退位置にセットされており、スイッチ頭２１の押し込みによってスイッチ板２２と他側導通部８が接触導通して発光ダイオードＬが発光すると共に、スイッチ部２０の自由状態では他側導通部８とスイッチ板２２が離反して発光ダイオードＬが消光する形態に構成されている。
【００３０】
この図５実施形態の指輪２と図３実施形態の指輪２を組合せて図４に示す連装形態にして着用すると、指先・手の動きによって連装の指輪２群は装飾発光作用と消光作用の相互組合せとなるので、指輪群による特殊特有の装飾機能美が得られる特有作用がある。
【００３１】
なお、本発明の指輪１・２は前記の実施形態に限定されず、他側導通部８はトレイ部３内周に２個〜１個配設形態にしたり、キヤップ６は外周に凹凸模様を施したり多孔散光形態にしたり、或は着色模様を施す等の任意の装飾的散光性の態様を自由に採択する。そして、指輪１はトレイ部３内周と電池Ｂの接触音を防止するクッションライニングをトレイ部３の内周に貼設する態様を必要に応じて採択する。そして、指輪２のスイッチ部２０は「前進付勢されて進退自在の通常形態の押し釦型スイッチ」等にしたり、スイッチ頭２１の表面に絶縁シートを貼着する等の変化がある。
【００３２】
【発明の効果】
以上の説明のとおり本発明の指輪は、指輪着用者の意志に基づく手・指の動きや、自然の手・指の動きによって多様パターンの装飾発光を放散させたり、その装飾発光の即時パターン変化が可能にして、装飾発光指輪の装飾発光性能を一段と向上すると共に、発光信号による人間間の意志疎通が可能にして指輪機能を向上し、広く一般の指輪着用者の日常生活の便宜向上を図ることができる。以上の諸効果がある。
【図面の簡単な説明】
【図１】第１発明１実施形態の指輪を示し、（Ａ）はその全体斜視図、（Ｂ）は構造説明の正面断面図、（Ｃ）は（Ｂ）のＤＤ断面平面図
【図２】図１実施形態の指輪を示し、（Ａ）はその構成部材の説明図、（Ｂ）は使用状態の説明図
【図３】第２発明１実施形態の指輪を示し、（Ａ）はその全体斜視図、（Ｂ）は構造説明の正面断面図、（Ｃ）はその要部拡大平面図
【図４】図３実施形態の指輪の使用状態を示し、（Ａ）（Ｂ）ともその使用状態説明図
【図５】第２発明の他の実施形態の指輪の構造を示す要部平面図
【符号の説明】
１  第１発明の指輪
２  第２発明の指輪
３  電池トレイ部
４  電池トレイ部の蓋板
５  指挿着リング部
６  発光装飾キヤップ
７  一側導通部
８  他側導通部
１１・１２  電池極
２０  スイッチ部
２１  スイッチ頭
２２  スイッチ板
Ｂ  ボタン型電池
Ｌ  発光ダイオード
【図１】
2004275620.tif 000003
【図２】
2004275620.tif 000004
【図３】
2004275620.tif 000005
【図４】
2004275620.tif 000006
【図５】
2004275620.tif 000007